(57)【要約】【課題】プラグの抜き挿しによって複数の入力端子間の電気的接続を切り換えることができるスイッチ付きコネクタ、当該スイッチ付きコネクタに具備されるスイッチ付きソケットおよび当該スイッチ付きソケットを備えた通信機器を提供する。【解決手段】スイッチ付きコネクタ１は、第１端子１１を含む第１板状部材１２と、第２端子２２を含むプラグ２０と、第３端子３３を含みプラグ２０が挿入可能な挿入孔３２が設けられた第２板状部材３１と、中継体４０とを備える。中継体４０は、第１中継端子５０と、第２中継端子６０と、弾性体４１とを含み、プラグ２０の無挿入状態において、第１端子１１と第３端子３３との電気的な接続を中継し、プラグ２０の挿入状態において第１端子１１と第２端子２２との電気的な接続を中継する。【選択図】図１
2014093267.tif 000002
【特許請求の範囲】
【請求項１】
第１端子を含む第１板状部材と、第２端子を含むプラグと、第３端子を含み、前記プラグが挿入可能な挿入孔が設けられた第２板状部材とを備え、
前記プラグが前記挿入孔に挿入されていない無挿入状態において、前記第１端子と前記第３端子とが電気的に接続され、
前記プラグが前記挿入孔に挿入された挿入状態において、前記第１端子と前記第３端子とが電気的に分断されて前記第１端子と前記２端子とが電気的に接続されるスイッチ付きコネクタであって、
前記第２板状部材は、前記挿入孔が前記第１端子に面するように前記第１板状部材に対向して配置され、
前記無挿入状態において、前記第１端子と前記第３端子との電気的な接続を中継し、前記挿入状態において前記第１端子と前記プラグに設けられた前記第２端子との電気的な接続を中継する中継体をさらに備え、
前記中継体は、前記第１端子に接触し、前記挿入孔に向けて延在する第１中継端子と、前記第１中継端子の延在方向に沿って移動可能に設けられた第２中継端子と、前記第２中継端子を前記第２板状部材側に向けて弾性付勢する弾性体とを含み、
前記第２中継端子は、前記無挿入状態において前記第１中継端子と接触する第１接触部と、前記無挿入状態において前記第３端子と接触する第２接触部とを有し、
前記プラグは、前記第２中継端子を前記第１板状部材側に向けて押し込むための押し込み部をさらに含み、
前記無挿入状態において、前記弾性体の弾性付勢力によって前記第２中継端子が前記第２板状部材側に位置することにより、前記第１接触部および前記第２接触部がそれぞれ前記第１中継端子および前記第３端子に接触し、これにより前記第１端子と前記第３端子とが前記第１中継端子および前記第２中継端子を介して電気的に接続され、
前記挿入状態において、前記押し込み部によって前記第２中継端子が前記弾性体の弾性付勢力に抗して前記第１板状部材側に向けて押し込まれることにより、前記第１接触部の前記第１中継端子に対する接触および前記第２接触部の前記第３端子に対する接触がそれぞれ解除されるとともに前記プラグに設けられた前記第２端子が前記第１中継端子に接触し、これにより前記第１端子と前記第３端子とが電気的に分断されて前記第１端子と前記プラグに設けられた前記第２端子とが前記第１中継端子を介して電気的に接続される、スイッチ付きコネクタ。
【請求項２】
前記第２中継端子が前記第１中継端子に対して、前記第２端子の延在方向に沿って摺動可能である、請求項１に記載のスイッチ付きコネクタ。
【請求項３】
前記第１板状部材は、前記第１端子周辺において前記第１端子よりも前記第２板状部材側に突出し、前記挿入孔に面するように配置された第４端子を含み、
前記第２中継端子は、前記第１板状部材側に位置し、前記第４端子に対応する形状を有する下端部を含み、
前記プラグは、前記押し込み部を含む第５端子を有し、
前記挿入状態において、前記第２中継端子が前記第５端子によって前記第１端子側に押し込まれることにより、前記第２中継端子の前記下端部が前記第１端子に接触せずに前記第４端子と接触し、これにより前記第４端子と前記第５端子とが前記第２中継端子を介して電気的に接続される、請求項１または２に記載のスイッチ付きコネクタ。
【請求項４】
第１端子を含む第１板状部材と、第３端子を含み、プラグが挿入可能な挿入孔が設けられた第２板状部材とを備え、
プラグが前記挿入孔に挿入されていない無挿入状態において、前記第１端子と前記第３端子とが電気的に接続され、
プラグが前記挿入孔に挿入された挿入状態において、前記第１端子と前記第３端子とが電気的に分断されて前記第１端子とプラグに設けられた端子とが電気的に接続されるスイッチ付きソケットであって、
前記第２板状部材は、前記挿入孔が前記第１端子に面するように前記第１板状部材に対向して配置され、
無挿入状態において、前記第１端子と前記第３端子との電気的な接続を中継し、前記挿入状態において前記第１端子とプラグに設けられた端子との電気的な接続を中継する中継体をさらに備え、
前記中継体は、前記第１端子に接触し、前記挿入孔に向けて延在する第１中継端子と、前記第１中継端子の延在方向に沿って移動可能に設けられた第２中継端子と、前記第２中継端子を前記第２板状部材側に向けて弾性付勢する弾性体とを含み、
前記第２中継端子は、前記無挿入状態において前記第１中継端子と接触する第１接触部と、無挿入状態において前記第３端子と接触する第２接触部とを有し、
無挿入状態において、前記弾性体の弾性付勢力によって前記第２中継端子が前記第２板状部材側に位置することにより、前記第１接触部および前記第２接触部がそれぞれ前記第１中継端子および前記第３端子に接触し、これにより前記第１端子と前記第３端子とが前記第１中継端子および前記第２中継端子を介して電気的に接続され、
プラグが前記挿入孔に挿入された場合に、プラグに設けられた押し込み部によって前記第２中継端子が前記弾性体の弾性付勢力に抗して前記第１板状部材側に向けて押し込まれることにより、前記第１接触部の前記第１中継端子に対する接触および前記第２接触部の前記第３端子に対する接触がそれぞれ解除されるとともにプラグに設けられた端子が前記第１中継端子に接触し、これにより前記第１端子と前記第３端子とが電気的に分断されて前記第１端子とプラグに設けられた端子とが前記第１中継端子を介して電気的に接続される、スイッチ付きソケット。
【請求項５】
請求項４に記載のスイッチ付きソケットと、受信回路と、アンテナとを備え、
前記第１板状部材が、前記受信回路を搭載した回路基板であり、
前記回路基板上において、前記第１端子と前記受信回路が配線を介して電気的に接続されており、
前記第２板状部材は、前記アンテナを搭載した筐体であり、
前記第３端子は、前記アンテナと電気的に接続されている、通信機器。
【発明の詳細な説明】
【技術分野】
【０００１】
本発明は、プラグの抜き挿しによって複数の入力端子間の電気的接続が切り換え可能なスイッチ付きコネクタ、当該スイッチ付きコネクタに具備されるスイッチ付きソケットおよび当該スイッチ付きソケットを備えた通信機器に関する。
【背景技術】
【０００２】
一般に、携帯電話に代表される通信機器は、アンテナとこれに電気的に接続された受信回路とが設けられる。通信機器としての機能を担保するために、通信機器の生産工程の最終段階において、受信回路の動作を確認する検査が行なわれる。生産工程の最終段階においては、アンテナと受信回路とが接続された状態で組み立てられていることが多く、検査を行なうに際し、アンテナと受信回路とを電気的に分断した後に、検査器と受信回路とを電気的に接続する必要がある。
【０００３】
このような、アンテナと受信回路との電気的接続および受信回路と検査器との電気的接続を切り換える方法の一例として、特開平７−３３６１２１号公報（特許文献１）には、同一の板状部材上に形成されたアンテナの入力端子と受信回路の入力端子とを可動接片で接続した構成を有するスイッチ付きソケットを介してアンテナと受信回路とを電気的に接続し、検査器に接続されたプラグをスイッチ付きソケットに挿入されるにより、受信回路とアンテナとの電気的接続を分断するとともに受信回路と検査器とをプラグを介して電気的に接続し、上記プラグをスイッチ付きソケットから引き抜かれることにより、受信回路と検査器との電気接続を分断するとともにアンテナと受信回路とを電気的に接続する接続方法が開示されている。
【先行技術文献】
【特許文献】
【０００４】
【特許文献１】特開平７−３３６１２１号公報
【発明の概要】
【発明が解決しようとする課題】
【０００５】
しかしながら、特許文献１に記載の構成においては、複数の端子が同一の板状部材上に形成された場合を前提とした構成であるところ、複数の端子のそれぞれが異なる板状部材上に形成され、当該板状部材が距離を持って隔てて対向配置される場合においては、当該構成を用いてアンテナと受信回路との電気的接続の切り換えを行なうことはできない。
【０００６】
本発明は、上記のような問題に鑑みてなされたものであり、本発明の目的は、複数の入力端子がそれぞれが異なる基板に形成された場合に、プラグの抜き挿しによって複数の入力端子間の電気的接続を切り換えることができる簡易な構成のスイッチ付きコネクタ、当該スイッチ付きコネクタに具備されるスイッチ付きソケットおよび当該スイッチ付きソケットを備えた通信機器を提供することにある。
【課題を解決するための手段】
【０００７】
本発明に基づくスイッチ付きコネクタは、第１端子を含む第１板状部材と、第２端子を含むプラグと、第３端子を含み、上記プラグが挿入可能な挿入孔が設けられた第２板状部材とを備える。上記本発明に基づくスイッチ付きコネクタは、上記プラグが上記挿入孔に挿入されていない無挿入状態において、上記第１端子と上記第３端子とが電気的に接続され、上記プラグが上記挿入孔に挿入された挿入状態において、上記第１端子と上記第３端子とが電気的に分断されて上記第１端子と上記２端子とが電気的に接続されるものである。上記第２板状部材は、上記挿入孔が上記第１端子に面するように上記第１板状部材に対向して配置される。上記本発明に基づくスイッチ付きコネクタは、上記無挿入状態において、上記第１端子と上記第３端子との電気的な接続を中継し、上記挿入状態において上記第１端子と上記プラグに設けられた上記第２端子との電気的な接続を中継する中継体をさらに備える。上記中継体は、上記第１端子に接触し、上記挿入孔に向けて延在する第１中継端子と、上記第１中継端子の延在方向に沿って移動可能に設けられた第２中継端子と、上記第２中継端子を上記第２板状部材側に向けて弾性付勢する弾性体とを含む。上記第２中継端子は、上記無挿入状態において上記第１中継端子と接触する第１接触部と、上記無挿入状態において上記第３端子と接触する第２接触部とを有する。上記プラグは、上記第２中継端子を上記第１板状部材側に向けて押し込むための押し込み部をさらに含む。上記本発明に基づくスイッチ付きコネクタにあっては、上記無挿入状態において、上記弾性体の弾性付勢力によって上記第２中継端子が上記第２板状部材側に位置することにより、上記第１接触部および上記第２接触部がそれぞれ上記第１中継端子および上記第３端子に接触し、これにより上記第１端子と上記第３端子とが上記第１中継端子および上記第２中継端子を介して電気的に接続される。上記本発明に基づくスイッチ付きコネクタにあっては、上記挿入状態において、上記押し込み部によって上記第２中継端子が上記弾性体の弾性付勢力に抗して上記第１板状部材側に向けて押し込まれることにより、上記第１接触部の上記第１中継端子に対する接触および上記第２接触部の上記第３端子に対する接触がそれぞれ解除されるとともに上記プラグに設けられた上記第２端子が上記第１中継端子に接触し、これにより上記第１端子と上記第３端子とが電気的に分断されて上記第１端子とプラグに設けられた上記第２端子とが上記第１中継端子を介して電気的に接続される。
【０００８】
上記本発明に基づくスイッチ付きコネクタにあっては、上記第２中継端子が上記第１中継端子に対して、上記第１端子の延在方向に沿って摺動可能であることが好ましい。
【０００９】
上記本発明に基づくスイッチ付きコネクタにあっては、上記第１板状部材は、上記第１端子周辺において上記第１端子よりも上記第２板状部材側に突出し、上記挿入孔に面するように配置された第４端子を含むことが好ましい。上記第２中継端子は、上記第１板状部材側に位置し、上記第４端子に対応する形状を有する下端部を含むことが好ましい。また、上記プラグは、上記押し込み部を含む第５端子を有することが好ましい。その場合には、上記挿入状態において、上記第２中継端子が上記第５端子によって上記第１端子側に押し込まれることにより、上記第２中継端子の上記下端部が上記第１端子に接触せずに上記第４端子と接触し、これにより上記第４端子と上記第５端子とが上記第２中継端子を介して電気的に接続されることが好ましい。
【００１０】
本発明に基づくスイッチ付きソケットは、第１端子を含む第１板状部材と、第３端子を含み、プラグが挿入可能な挿入孔が設けられた第２板状部材とを備える。上記本発明に基づくスイッチ付きソケットは、プラグが上記挿入孔に挿入されていない無挿入状態において、上記第１端子と上記第３端子とが電気的に接続され、プラグが上記挿入孔に挿入された挿入状態において、上記第１端子と上記第３端子とが電気的に分断されて上記第１端子とプラグに設けられた端子とが電気的に接続されるものである。上記第２板状部材は、上記挿入孔が上記第１端子に面するように上記第１板状部材に対向して配置される。上記本発明に基づくスイッチ付きソケットは、無挿入状態において、上記第１端子と上記第３端子との電気的な接続を中継し、上記挿入状態において上記第１端子とプラグに設けられた端子との電気的な接続を中継する中継体をさらに備える。上記中継体は、上記第１端子に接触し、上記挿入孔に向けて延在する第１中継端子と、上記第１中継端子の延在方向に沿って移動可能に設けられた第２中継端子と、上記第２中継端子を上記第２板状部材側に向けて弾性付勢する弾性体とを含む。上記第２中継端子は、上記無挿入状態において上記第１中継端子と接触する第１接触部と、無挿入状態において上記第３端子と接触する第２接触部とを有する。上記本発明に基づくスイッチ付きソケットにあっては、無挿入状態において、上記弾性体の弾性付勢力によって上記第２中継端子が上記第２板状部材側に位置することにより、上記第１接触部および上記第２接触部がそれぞれ上記第１中継端子および上記第３端子に接触し、これにより上記第１端子と上記第３端子とが上記第１中継端子および上記第２中継端子を介して電気的に接続される。上記スイッチ付きソケットにあっては、プラグが上記挿入孔に挿入された場合に、プラグに設けられた押し込み部によって上記第２中継端子が上記弾性体の弾性付勢力に抗して上記第１板状部材側に向けて押し込まれることにより、上記第１接触部の上記第１中継端子に対する接触および上記第２接触部の上記第３端子に対する接触がそれぞれ解除されるとともにプラグに設けられた端子が上記第１中継端子に接触し、これにより上記第１端子と上記第３端子とが電気的に分断されて上記第１端子とプラグに設けられた端子とが上記第１中継端子を介して電気的に接続される。
【００１１】
本発明に基づく通信機器は、上記スイッチ付きソケットと、受信回路と、アンテナとを備える。上記第１板状部材が、上記受信回路を搭載した回路基板である。上記回路基板上において、上記第１端子と上記受信回路が配線を介して電気的に接続される。上記第２板状部材は、上記アンテナを搭載した筐体である。上記第３端子は、上記アンテナと電気的に接続されている。
【発明の効果】
【００１２】
本発明によれば、複数の入力端子がそれぞれが異なる板状部材に形成された場合に、プラグの抜き挿しによって複数の入力端子間の電気的接続を切り換えることができる簡易な構成のスイッチ付きコネクタ、当該スイッチ付きコネクタに具備されるスイッチ付きソケットおよび当該スイッチ付きソケットを備えた通信機器を提供することができる。
【図面の簡単な説明】
【００１３】
【図１】本発明の実施の形態１に係るスイッチ付きコネクタの模式断面図である。
【図２】図１に示すスイッチ付きソケットを備えた通信機器の模式平面図である。
【図３】図２に示す通信機器におけるスイッチ付きソケットの拡大図である。
【図４】図３に示すスイッチ付きソケットにプラグが挿入されていない無挿入状態におけるスイッチ付きソケットのＩＶ−ＩＶ線に沿った模式断面図である。
【図５】図１に示すスイッチ付きソケットにプラグが挿入された挿入状態におけるスイッチ付きソケットの断面図である。
【図６】本発明の実施の形態２に係るスイッチ付きコネクタの模式断面図である。
【図７】図６に示すスイッチ付きソケットにプラグが挿入されてない無挿入状態における模式断面図である。
【図８】図６に示すスイッチ付きソケットにプラグが挿入された挿入状態における模式断面図である。
【発明を実施するための形態】
【００１４】
以下、本発明の実施の形態について、図を参照して詳細に説明する。なお、以下に示す実施の形態においては、同一のまたは共通する部分について図中同一の符号を付し、その説明は繰り返さない。
【００１５】
（実施の形態１）
図１は、本発明の実施の形態１に係るスイッチ付きコネクタの模式断面図である。図１を参照して、本実施の形態に係るスイッチ付きコネクタ１について説明する。
【００１６】
図１に示すように、本実施の形態に係るスイッチ付きコネクタ１は、スイッチ付きソケット２とスイッチ付きソケット２に対して抜き挿し可能なプラグ２０とを備えている。スイッチ付きソケット２は、下段部１０と、下段部１０から上方に離れて位置する上段部３０と、下段部１０および上段部３０の間に位置する中継体４０とを備えている。
【００１７】
下段部１０は、主として第１端子１１および第４端子１３が形成された第１板状部材１２によって構成されている。第１端子１１は、受信回路（図１において不図示）に電気的に接続されている。第４端子１３は、接地端子である。
【００１８】
上段部３０は、主としてプラグ２０が挿入可能な挿入孔３２と第３端子３３とが形成された第２板状部材３１によって構成されている。第３端子３３は、アンテナ（不図示）に電気的に接続されていている。
【００１９】
中継体４０は、第１端子１１と第３端子３３との電気的な接続、または、第１端子１１とプラグ２０に設けられた第２端子２２との電気的な接続を中継する部位である。中継体４０は、第１中継端子５０と第２中継端子６０と弾性体４１とを備えている。第１中継端子５０は、第１端子１１と接触している。第２中継端子６０は、第１中継端子５０に対してプラグ２０の挿入方向に移動可能に設けられている。第１中継端子５０および第２中継端子６０は、主として導電部として機能する。弾性体４１は、第１中継端子５０と第２中継端子６０とに接続されており、第２中継端子６０を第２板状部材３１側に向けて弾性付勢する。
【００２０】
プラグ２０は、第２端子２２と、第５端子２４と、第３絶縁体２３とを備えている。第２端子２２は、受信回路を検査する検査器に接続されている。第５端子２４は、接地端子であり、第２中継端子６０を第１板状部材１２に向けて押し込む押し込み部２１を有している。第３絶縁体２３は、第２端子２２と第５端子２４との電気的接続分離するための部位である。
【００２１】
ここで、スイッチ付きソケット２にプラグ２０が挿入されていない無挿入状態においては、スイッチ付きソケット２の内部であって、第１板状部材１２側において第１端子１１と第１中継端子５０とが接触し、中継体４０の略中央において第１中継端子５０と第２中継端子６０とが接触し、挿入孔３２近傍において第２中継端子６０と第３端子３３とが接触する。これにより、第１端子１１と第３端子３３とが第１中継端子５０と第２中継端子６０とを介して電気的に接続されることとなり、第１端子１１に導通する受信回路と第３端子３３に導通するアンテナが電気的に導通した状態となる。
【００２２】
一方、スイッチ付きソケット２にプラグ２０が挿入された挿入状態においては、スイッチ付きソケット２の内部であって、第２板状部材３１側において第３端子３３と第２中継端子６０との接触が解除され、中継体４０の略中央において第１中継端子５０の導通部と第２中継端子６０の導通部との接触が解除される。これにより、第１端子１１と第３端子３３とが電気的に分断されることとなり、第１端子１１に導通する受信回路と第３端子３３に導通するアンテナとが電気的に導通していない状態となる。
【００２３】
上述した挿入状態においては、スイッチ付きソケット２の内部であって、第１板状部材１２側において第１端子１１と第１中継端子５０とが接触し、第１中継端子５０の上面において第１中継端子５０とプラグに設けられた第２端子２２とが接触する。これにより、第１端子１１と第２端子２２とが第１中継端子５０を介して電気的に接続されることとなる。また、これと同時に第１板状部材１２側において第４端子１３と第２中継端子６０とが接触し、第２中継端子６０の上面において第２中継端子６０と第５端子２４とが接触する。これにより、第４端子１３と第５端子２４とが第２中継端子６０を介して電気的に接続されることとなる。このように、第１端子１１および第２端子２２、第４端子１３および第５端子２４が電気的に接続されることで、検査器と受信回路とが導通した状態となる。
【００２４】
検査器と受信回路とが導通した状態において、検査器が所定の電圧を受信回路に供給し、検査用の擬似信号を供給するとともに出力信号を確認することで、受信回路の動作を確認することが可能となる。
【００２５】
図２は、図１に示すスイッチ付きソケットを備えた通信機器の模式平面図である。図２を参照して、本実施の形態に係るスイッチ付きソケット２を備えた通信機器１００について説明する。
【００２６】
図２に示すように、本実施の形態に係る通信機器１００は、上述のスイッチ付きソケット２を具備して構成される。より具体的には、本実施の形態に係る通信機器１００は、紙面垂直方向手前側に開口を有する箱状の第１筐体７０と、第２筐体としての第２板状部材３１と、第１端子１１と第４端子１３と受信回路１４とが形成された第１板状部材１２とを備える。
【００２７】
第２板状部材３１は、当該開口を塞ぐように第１筐体７０に対して配置され、第１筐体７０と第２板状部材３１との間に第１板状部材１２とアンテナ７１とを収納している。第１板状部材１２上において、受信回路１４と第１端子１１とは、配線を介して電気的に接続されている。第２板状部材３１には上述のごとくプラグを挿入可能な挿入孔３２と第３端子３３が形成されている。第３端子３３とアンテナ７１とは、配線を介して電気的に接続されている。また、上述のように電気的接続を切り換える中継体４０が第１板状部材１２と第２板状部材３１との間に設けられている。
【００２８】
このような構成とすることにより、本実施の形態に係る通信機器１００においても、上記のようにプラグの挿入状態と無挿入状態とを切り換える態様によって、アンテナと受信回路との電気的接続の切り換えを行なうことができる。これにより、通信機器１００の生産工程において、アンテナと受信回路とが接続された状態で、受信回路の動作確認を行なうことができる。また、通信機器１００の製造後における故障時においても、プラグを挿入することで受信回路の動作確認を行なうことができる。
【００２９】
以下においては、本実施の形態に係るスイッチ付きコネクタ１およびこれに具備されるスイッチ付きソケット２において、上述した態様で複数の端子間の電気的接続の切り替えができる仕組みについて、これらの具体的な構造を説明しつつ詳細に説明する。
【００３０】
図３は、図２に示す通信機器におけるスイッチ付きソケットの拡大図である。図４は、図３に示すスイッチ付きソケットにプラグが挿入されていない無挿入状態におけるスイッチ付きソケットのＩＶ−ＩＶ線に沿った模式断面図である。図３および図４を参照して、本実施の形態に係るスイッチ付きソケット２の詳細な構造について説明する。
【００３１】
図３および図４に示すように、スイッチ付きソケット２の下段部１０において、第１端子１１および第４端子１３は、挿入孔３２に面するように第１板状部材１２上に形成されている。第１板状部材１２としては、たとえば電子部品を実装可能なプリント基板を採用することができる。
【００３２】
第１端子１１は、平面視した状態において挿入孔３２の略中央に位置している。第１端子１１は、配線１５を介して第１板状部材１２上に設置された受信回路に接続されている。
【００３３】
第４端子１３は、平面視した状態において挿入孔３２の周縁の内側近傍に位置しており、第１端子１１の周辺において第１端子１１を挟み込むように一対形成されている。また、第４端子１３は段差を有し、第４端子１３の一部が第１端子１１よりも第２板状部材３１側に突出している。
【００３４】
スイッチ付きソケット２の上段部３０において、第２板状部材３１は、挿入孔３２が第１端子１１および第４端子１３に面するように第１板状部材１２に対向して配置されている。第２板状部材３１としては、たとえば樹脂材料から成る筐体や、電子部品を実装可能なプリント基板を採用することができる。
【００３５】
第２板状部材３１は、挿入孔３２の外側に位置し、第１板状部材１２に向かって突出する下方突出部３４を有する。下方突出部３４は、略円筒状の形状を有し、挿入孔３２と同軸に形成されている。下方突出部３４は、下端において開口部３６が形成された環状部３５を有する。また、第２板状部材３１は、上方に円柱形状の開口部３７を有する。
【００３６】
下方突出部３４は、好適には絶縁性の樹脂材料から構成されており、インサート成形によって第２板状部材３１に一体的に設けられていてもよいし、射出成形品を第２板状部材３１に嵌め込み等によって固定することで構成されてもよい。
【００３７】
第３端子３３は、第２板状部材３１の上面の一部を覆い、開口部３７において第１板状部材１２側に向けて折り曲げられており、開口部３７に面する第２板状部材３１の周面を覆うとともに、さらに下方突出部３４側に向けて折り曲げられており、第２板状部材３１の下面の一部を覆う。第３端子３３のうち開口部３７に面する第２板状部材３１の周面を覆う部分が、挿入孔３２を規定する。第３端子３３は、アンテナ（不図示）に配線を介して接続されている。
【００３８】
第１中継端子５０は、略円柱形状を有し、第１端子１１に接触するとともに挿入孔３２に向けて延在している。第１中継端子５０は、上端部５１と、上端部５１よりも外径が小さく上端部５１と同軸上に配置された先端部５２と、先端部５２の上端部５１側において先端部５２の外表面を覆う第１絶縁体５３とを有する。上端部５１および先端部５２は、金属材料等の導電性部材から構成されている。
【００３９】
第１絶縁体５３は、上端部５１と外径が同一に構成されている。また、第１絶縁体５３は、インサート成形によって第１中継端子５０の先端部５２に一体的に設けられていてもよいし、射出成形品を先端部５２に嵌め込み等によって固定することで構成されていてもよい。
【００４０】
第２中継端子６０は、略円筒形状を有し、第２中継端子６０は、第１中継端子５０の延在方向に沿って移動可能に設けられている。第２中継端子６０の内側面が第１中継端子５０の外側面に沿って摺動することにより、第２中継端子６０が第１中継端子５０の延在方向に沿って移動する。第２中継端子６０の内側面は、上方において第１接触部６５を含んでいる。
【００４１】
また、第２中継端子６０は、金属材料等の導電性部材から構成される本体部６１と、本体部６１よりも第１中継端子の先端部５２側に設けられた第２絶縁体６４とを有する。本体部６１は、上方に位置するフランジ部６２と、下方に位置し第４端子１３に対応した形状の下端部６３とを含む。
【００４２】
フランジ部６２の外径は、挿入孔３２の外径および下方突出部３４の環状部３５の内径よりも大きく、下方突出部３４の内径よりも小さい。これにより、フランジ部６２は、下方突出部３４内に収容される。したがって、プラグ２０挿入時における第２中継端子６０の移動範囲が、下方突出部３４によって制限されることになる。また、フランジ部６２は、その上面において挿入孔３２の外側に第２接触部６６を有する。
【００４３】
下端部６３は、プラグ２０挿入時において、下端部６３の内側面が第４端子１３の段差部の外側面に接触し、下端部６３の下面が第４端子１３の上面に接触するが、その際に第１端子１１には接触しないように構成されている。
【００４４】
第２絶縁体６４は、第１絶縁体５３の下方に位置し第１中継端子５０の先端部５２に接するように設けられており、上端部５１と外径が同一に構成されている。第２絶縁体６４は、インサート成形によって第２中継端子６０の本体部６１に一体的に設けられていてもよいし、射出成形品を本体部６１に嵌め込み等によって固定することで構成されていてもよい。
【００４５】
弾性体４１は、第１中継端子５０の第１絶縁体５３と、第２中継端子６０の第２絶縁体６４とに接続されており、第２中継端子６０を第２板状部材３１側に向けて弾性付勢する。弾性体４１としては、コイルばねを採用することができる。なお、弾性体４１は、第２中継端子６０の本体部６１と接触しないように設けられている。さらに、弾性体４１は、第１中継端子５０の導通部（上端部５１および先端部５２）と接触しないように設けられることが好ましい。
【００４６】
図４に示すように、無挿入状態においては、弾性体４１の弾性付勢力によって、第２中継端子６０の第１接触部６５が、第１中継端子５０の上端部５１の一部と接触するとともに、第２中継端子６０の第２接触部６６が、第３端子３３のうち第２板状部材３１の下面の一部を覆う部分と接触する。これにより、無挿入状態において、第１端子１１と第３端子３３とが第１中継端子５０と第２中継端子６０を介して電気的に接続された状態が実現される。
【００４７】
次に、図１を参照して、本実施の形態に係るスイッチ付きコネクタに具備されるプラグ２０の詳細な構造について説明する。
【００４８】
図１に示すように、プラグ２０は、略円柱状の形状を有し、その挿入端２５にスイッチ付きソケット２に対応した形状の凹部２６を有している。これにより、プラグ２０がスイッチ付きソケット２に挿入された挿入状態において、第１中継端子５０の上端部５１および先端部５２の一部が凹部２６内に収容される。
【００４９】
プラグ２０に設けられた第２端子２２は、略円柱状の形状を有し、プラグ２０の中央に配置され、プラグ２０の軸方向に沿って延在している。また、第２端子２２は、金属材料等の導電性部材から構成されている。
【００５０】
プラグ２０に設けられた第５端子２４は、略円筒状の形状を有し、プラグ２０の周縁部に位置するように、かつ、第２端子２２を囲うようにプラグ２０の軸方向に沿って延在している。第５端子２４は、第２端子２２よりも下方に突出する押し込み部２１を有する。押し込み部２１は、プラグ２０の挿入時において、第２中継端子６０を第１板状部材１２側に押し込む。また、第５端子２４は、金属材料等の導電性部材から構成されている。
【００５１】
上述した第２端子２２と第５端子２４との間の空間は、たとえば絶縁性の樹脂部材から成る第３絶縁体２３によって埋め込まれている。なお、第２端子２２は、挿入端２５側に位置する第３絶縁体２３の表面から突出するように配置されており、上述した凹部２６内に位置している。
【００５２】
押し込み部２１および第２端子２２は、プラグ２０を挿入した状態において、第２中継端子６０の下端部６３が第４端子１３に接触した状態で、押し込み部２１が第２中継端子６０の上面に接触し、第２端子２２が第１中継端子５０の上面に接触するように所定の長さで構成されている。
【００５３】
図５は、図１に示すスイッチ付きソケットにプラグが挿入された挿入状態におけるスイッチ付きソケットの断面図である図５を参照して、挿入状態について詳細に説明する。
【００５４】
図５に示すように、押し込み部２１によって第２中継端子６０が弾性体４１の弾性付勢力に抗して第１板状部材１２側に押し込まれた挿入状態においては、弾性体４１が伸長することで第２中継端子６０が第４端子１３に接触した状態となるとともに、プラグ２０の凹部２５内に第１中継端子５０の上端部５１と先端部５２の一部と第１絶縁体５３の一部とが収容された状態となる。
【００５５】
より具体的には、第１板状部材１２側においては、第２中継端子６０の下端部６３の内側面が第４端子１３の段差部における外側面に、下端部６３の下面が第４端子１３の上面に接触する。これにより、第２中継端子６０と第４端子１３とが電気的に接続される。一方、第２中継端子６０の下端部６３は、第１端子１１には接触しない。
【００５６】
プラグ２０側においては、第５端子２４の一部である押し込み部２１が第２中継端子６０の上面に接触するとともに、第２端子２２の下面が第１中継端子５０の上面に接触する。これにより、第５端子２４が第２中継端子６０に電気的に接続されるとともに、第２端子２２と第１端子１１とが電気的に接続される。
【００５７】
また、第２中継端子６０が第１板状部材１２側に移動したことにより、第２中継端子６０の内側面における第１接触部６５が第１中継端子５０の第１絶縁体５３のみに接触する。これにより、第１接触部６５と第１中継端子５０の上端部５１との接触が解除される。この結果、第１中継端子５０と第２中継端子６０とが電気的に分断される。
【００５８】
同様に、第２中継端子６０が第１板状部材１２側に移動したことにより、第２中継端子６０のフランジ部６２の第２接触部６６と第３端子３３との接触が解除される。これにより、第３端子３３と第２中継端子６０とが電気的に分断される。
【００５９】
以上により、挿入状態においては、第１端子１１と第３端子３３との電気的接続が分断されるとともに第１端子１１とプラグ２０に設けられた第２端子２２とが第１中継端子５０を介して電気的に接続されることになる。
【００６０】
したがって、挿入状態においては、第１端子１１に電気的に導通する受信回路と第３端子３３に電気的に導通するアンテナとが電気的に分断され、第１端子１１に電気的に導通する受信回路と第２端子２２に導通する検査器とが電気的に接続された状態となることにより、受信回路の動作確認検査を行なうことが可能になる。
【００６１】
なお、プラグ２０をスイッチ付きソケット２から引き抜いた場合には、押し込み部２１による弾性体４１の弾性付勢力に抗した第２中継端子６０への押しこみが解除される。これにより、当該弾性付勢力に基づいて弾性体４１が収縮することで第２中継端子６０が第２板状部材３１側に向けて移動することとなり、元の無挿入状態に復帰する。
【００６２】
以上において説明したように、本実施の形態に係るスイッチ付きコネクタ１、これに具備されるスイッチ付きソケット２および当該スイッチ付きソケット２を備えた通信機器１００は、簡易な構成であるとともに、複数の入力端子がそれぞれが異なる基板に形成された場合において上述の態様で複数の端子間の接続を切り換えることができる。
【００６３】
また、第２中継端子６０が第１中継端子５０に摺動して移動する構成とすることにより、第２中継端子６０の移動が安定し、第１板状部材１２および第２板状部材３１に搭載されている他部品との接触を防止することができ、プラグ挿入時における電気的接続の信頼性が向上する。
【００６４】
（実施の形態２）
図６は、本発明の実施の形態２に係るスイッチ付きコネクタを構成するスイッチ付きソケットの無挿入状態における断面図である。図６を参照して、本実施の形態に係るスイッチ付きコネクタ１Ａを説明する。
【００６５】
図６に示すように、本実施の形態に係るスイッチ付きコネクタ１Ａは、実施の形態１に係るスイッチ付きコネクタ１と比較して、上段部３０Ａの構成および中継体４０Ａの構成において相違する。具体的には、本実施の形態に係るスイッチ付きコネクタ１Ａは、スイッチ付きソケット２Ａとスイッチ付きソケット２Ａに対して抜き挿し可能なプラグ２０とを備えている。スイッチ付きソケット２Ａは、下段部１０と、下段部１０から上方に離れて位置する上段部３０Ａと、下段部１０および上段部３０Ａの間に位置する中継体４０Ａとを備えている。
【００６６】
上段部３０Ａは、プラグ２０が挿入可能な挿入孔３２Ａと第３端子３３Ａとが形成された第２板状部材３１Ａとによって構成されている。第３端子３３Ａは、アンテナ（不図示）に電気的に接続されていている。
【００６７】
中継体４０Ａは、第１中継端子５０と第２中継端子６０Ａと弾性体４１とを備えている。第１中継端子５０は、第１端子１１と接触している。第２中継端子６０Ａは、第１中継端子５０に対してプラグ２０の挿入方向に移動可能に設けられている。第１中継端子５０および第２中継端子６０Ａは、主として導電部として機能する。弾性体４１は、第１中継端子５０と第２中継端子６０Ａとに接続されており、第２中継端子６０Ａを第２板状部材３１Ａ側に向けて弾性付勢する。
【００６８】
図７は、図６に示すスイッチ付きソケットにプラグが挿入されてない無挿入状態における模式断面図である。図７を参照して、本実施の形態に係るスイッチ付きソケット２Ａの詳細な構造について説明する。
【００６９】
スイッチ付きソケット２Ａの上段部３０Ａにおいて、第２板状部材３１Ａは、挿入孔３２Ａが第１端子１１および第４端子１３に面するように第１板状部材１２に対向して配置されている。
【００７０】
第２板状部材３１Ａは、断面視Ｔ字形状の開口部３７Ａを有し、当該開口部３７Ａを規定する孔部側面に段差形状を有し、当該第２板状部材３１Ａの下方において第２中継端子６０Ａ側に向かって突出する突出部３８Ａを有する。また、突出部３８Ａが第２中継端子６０Ａの移動を補助するように、第２板状部材３１Ａは、プラグ２０の挿入方向に対して所定の厚みをもって構成されている。第２板状部材３１Ａの厚みは、プラグ２０挿入時における第２中継端子６０Ａの上面が、突出部３８Ａの間に位置するように構成される。
【００７１】
第３端子３３Ａは、略Ｌ字形状を有し、第２板状部材３１Ａの上面の一部を覆い、挿入孔３２Ａにおいて第１板状部材１２側に向けて折り曲げられており、開口部３７Ａに面する第２板状部材３１Ａの周面の一部を覆う。第３端子３３Ａのうち開口部３７Ａに面する第２板状部材３１Ａの周面を覆う部分は、突出部３８Ａと面一になるように構成されている。すなわち、第３端子３３Ａのうち開口部３７Ａに面する第２板状部材３１Ａの周面を覆う部分と突出部３８Ａとが挿入孔３２Ａを規定する。
【００７２】
第２中継端子６０Ａは、略円筒形状を有し、第２中継端子６０Ａは、第１中継端子５０の延在方向に沿って移動可能に設けられている。第２中継端子６０Ａの内側面が第１中継端子５０の外側面に沿って摺動し、第２中継端子６０Ａの外側面が第３端子３３Ａまたは第２板状部材３１Ａの突出部３８Ａに沿って摺動することで、第２中継端子６０Ａが第１中継端子５０の延在方向に沿って移動する。第２中継端子６０Ａの内側面は、上方において第１接触部６５を含む。第２中継端子６０Ａの外側面は、上方において第２接触部６６Ａを含む。
【００７３】
図７に示すように、無挿入状態においては、弾性体４１の弾性付勢力によって、第２中継端子６０Ａの第１接触部６５が、第１中継端子５０の上端部５１の一部と接触するとともに、第２中継端子６０Ａの第２接触部６６Ａが、第３端子３３Ａのうち第２板状部材３１Ａの開口部３７Ａに面する第２板状部材３１Ａの周面を覆う部分と接触する。これにより、無挿入状態において、第１端子１１と第３端子３３Ａとが第１中継端子５０と第２中継端子６０Ａを介して電気的に接続された状態が実現される。
【００７４】
図８は、図６に示すスイッチ付きソケットにプラグが挿入された挿入状態における模式断面図である。図８を参照して、挿入状態について詳細に説明する。
【００７５】
図８に示すように、押し込み部２１によって第２中継端子６０Ａが弾性体４１の弾性付勢力に抗して第１板状部材１２側に押し込まれた挿入状態においては、弾性体４１が伸長することで第２中継端子６０Ａが第４端子１３に接触した状態となるとともに、プラグ２０の凹部２５内に第１中継端子５０の上端部５１と先端部５２の一部と第１絶縁体５３の一部が収容された状態となる。
【００７６】
より具体的には、第１板状部材１２側においては、第２中継端子６０Ａの下端部６３の内側面が第４端子１３の段差部における外側面に、下端部６３の下面が第４端子１３の上面に接触する。これにより、第２中継端子６０Ａと第４端子１３とが電気的に接続される。一方、第２中継端子６０Ａの下端部６３は、第１端子１１には接触しない。
【００７７】
プラグ２０側においては、第５端子２４の一部である押し込み部２１が第２中継端子６０Ａの上面に接触するとともに、第２端子２２の下面が第１中継端子５０の上面に接触する。これにより、第５端子２４が第２中継端子６０Ａに電気的に接続されるとともに、第２端子２２と第１端子１１とが電気的に接続される。
【００７８】
また、第２中継端子６０Ａが第１板状部材１２側に移動することにより、第２中継端子６０Ａの内側面における第１接触部６５が第１中継端子５０の第１絶縁体５３のみに接触する。これにより、第１接触部６５と第１中継端子５０の上端部５１との接触が解除される。この結果、第１中継端子５０と第２中継端子６０Ａとが電気的に分断される。
【００７９】
同様に、第２中継端子６０Ａが第１板状部材１２側に移動することにより、第２中継端子６０Ａの外側面の第２接触部６６Ａと第３端子３３Ａとの接触が解除される。これにより、第３端子３３Ａと第２中継端子６０Ａとが電気的に分断される。
【００８０】
以上により、挿入状態においては、第１端子１１と第３端子３３Ａとの電気的接続が分断されるとともに第１端子１１とプラグ２０に設けられた第２端子２２とが第１中継端子５０を介して電気的に接続されることになる。
【００８１】
したがって、挿入状態においては、第１端子１１に電気的に導通する受信回路と第３端子３３Ａに電気的に導通するアンテナとが電気的に分断され、第１端子１１に電気的に導通する受信回路と第２端子２２に導通する検査器とが電気的に接続された状態となることにより、受信回路の動作確認検査を行なうことが可能になる。
【００８２】
なお、プラグ２０をスイッチ付きソケット２Ａから引き抜いた場合には、押し込み部２１による弾性体４１の弾性付勢力に抗した第２中継端子６０Ａへの押しこみが、解除される。これにより、当該弾性付勢力に基づいて弾性体４１が収縮することで第２中継端子６０Ａが第２板状部材３１Ａ側に向けて移動することとなり、元の無挿入状態に復帰する。
【００８３】
なお、本実施の形態に係るスイッチ付きコネクタ１Ａに具備されるスイッチ付きソケット２Ａは、実施の形態１と同様に通信機器に適用することができる。
【００８４】
以上において説明したように、本実施の形態に係るスイッチ付きコネクタ１Ａ、これに具備されるスイッチ付きソケット２Ａおよび当該スイッチ付きソケット２Ａを備えた通信機器は、実施の形態１に係るスイッチ付きコネクタ１、これに具備されるスイッチ付きソケット２および当該スイッチ付きソケット２を備えた通信機器１００とほぼ同様の効果が得られる。
【００８５】
なお、実施の形態１および実施の形態２においては、第３端子３３，３３Ａとアンテナとが配線を介して電気的に接続されている場合を例示して説明したが、これに限定されず、第３端子３３，３３Ａが板状アンテナや平面アンテナ等の各種のアンテナの一部に含まれていてもよい。
【００８６】
また、実施の形態１および実施の形態２においては、弾性体４１がコイルばねで構成さており、第１中継端子５０に第１絶縁体５３が設けられるとともに第２中継端子６０，６０Ａに第２絶縁体６４が設けられた場合を例示して説明したが、これに限定されず、弾性体４１が絶縁性のばねによって構成されている場合には、第１絶縁体５３および第２絶縁体６４が設けられていない構成であってもよい。
【００８７】
また、実施の形態１および実施の形態２においては、プラグ２０、第１中継端子５０、第２中継端子６０，６０Ａが略円柱形状または略円筒形状を有する場合を例示して説明したが、これに限定されず、正多角柱形状または上面および下面が正多角形からなる筒形状を有していてもよい。なお、プラグ２０、第１中継端子５０、第２中継端子６０，６０Ａが略円柱形状または略円筒形状を有する場合には、回転方向における向きを管理することなく、プラグ２０を挿入することができる。
【００８８】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００８９】
１，１Ａ  スイッチ付きコネクタ、２，２Ａ  スイッチ付きソケット、１０  下段部、１１  第１端子、１２  第１板状部材、１３  第４端子、１４  受信回路、１５  配線、２０  プラグ、２１  押し込み部、２２  第２端子、２３  第３絶縁体、２４  第５端子、２５  挿入端、２６  凹部、３０  上段部、３１，３１Ａ  第２板状部材、３２，３２Ａ  挿入孔、３３，３３Ａ  第３端子、３４  下方突出部、３５  環状部、３６，３７，３７Ａ  開口部、３８Ａ  突出部、４０，４０Ａ  中継体、４１  弾性体、５０  第１中継端子、５１  上端部、５２  先端部、５３  第１絶縁体、６０，６０Ａ  第２中継端子、６１  本体部、６２  フランジ部、６３  下端部、６４  第２絶縁体、６５  第１接触部、６６，６６Ａ  第２接触部、７０  第１筐体、７１  アンテナ、１００  通信機器。
【図１】
2014093267.tif 000003
【図２】
2014093267.tif 000004
【図３】
2014093267.tif 000005
【図４】
2014093267.tif 000006
【図５】
2014093267.tif 000007
【図６】
2014093267.tif 000008
【図７】
2014093267.tif 000009
【図８】
2014093267.tif 000010